(57)【要約】【課題】テレビのチャネルを合わせるだけでビデオメールを視聴できるようにしたい。【解決手段】受け側はＨＤＤ搭載のデータ蓄積型対応ＤＴＶを持つ。送り側は受取人を指定し、ビデオメールを高速公衆回線で放送局のサーバーにアップする。  放送局はビデオメールを放送するが、ビデオメールは指定された受取人のＤＴＶのＨＤＤにのみ蓄積される。受け側はＤＴＶのチャネルをこのサービスを行う放送局に合わせるだけで、再生ソフトが起動し配信・蓄積されたビデオメールが再生される。サーバー利用料・管理料は送り側が払う。【選択図】        図１
2004336412.tif 000002
【特許請求の範囲】
【請求項１】
個人宛の映像データを放送するステップと、放送された映像データを自分宛の映像データと判断したら蓄積するステップと、蓄積された映像データを再生するステップを持つプライベート映像データ放送蓄積視聴システム。
【請求項２】
個人宛の映像データを受け取り先の認証番号と共に放送するステップと、放送された映像データに含まれる認証番号が自分の認証番号と一致したと判断したら映像データを蓄積するステップと、蓄積された映像データを再生するステップを持つプライベート映像データ放送蓄積視聴システム。
【請求項３】
上記請求項１と２において再生する際、所定のチャネルに合わせることで蓄積された映像データの再生が始まるステップを持つプライベート映像データ放送蓄積視聴システム。
【請求項４】
上記請求項１と２において映像データを蓄積したことを確認したら蓄積確認手段を自動的に送付するプライベート映像データ放送蓄積視聴システム。
【請求項５】
上記請求項１と２において映像データを再生したことを確認したら再生確認手段を自動的に送付するプライベート映像データ放送蓄積視聴システム。
【発明の詳細な説明】
【０００１】
【発明の属する技術分野】
データ蓄積型デジタルテレビを用いた放送受信システムに関する。
【０００２】
【従来の技術】
従来遠隔地へビデオデータを伝達する際、ビデオテープを直接送る等の手法があったが時間がかかる欠点がある。近来高速ネットワーク技術であるＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）により高速でデータ転送が出来る環境が整いつつある。
【０００３】
【発明が解決しようとする課題】
しかしＡＤＳＬは全国どこでも利用できるとは限らず、しかも電話局から近い地域でしか高速データ伝送は行えず、電話局から遠い地域では速度が遅くなってしまう。ＦＴＴＨは高価であり現時点で全国的に普及しているとは言い難い。ビデオデータを伝送しようとする際、都市間ではＡＤＳＬ環境を利用して高速伝送可能だが、現在都市部から地方部へ伝送しようとしても電話局から遠い確率の高い地方へは従来のアナログモデムを用い低速にしか伝送できない。
【０００４】
本考案に似た提案に「特開２０００−１３７７５２」が有る。これはユーザーがあらかじめ決められたフォーマットで放送局の映像サーバーに映像データを配信することで自動的に放送可能な素材が蓄積可能という提案であり、放送局による映像データの編集という人手がかかる作業を省略できるメリットがある。本考案は後述するようにこれとは方法も目的も異なる。
【０００５】
【課題を解決するための手段】
個人宛の映像データを受け取り先の認証番号と共に放送するステップと、放送された映像データに含まれる認証番号が自分の認証番号と一致したと判断したら映像データを蓄積するステップと、所定のチャネルに合わせることで蓄積された映像データの再生が始まるステップを持つことを特長とするプライベート映像データ放送蓄積視聴システム
【０００６】
【発明の実施の形態】
（実施例１）
本実施例を適応する受信側のデジタルテレビ（以下“ＤＴＶ”と略す）において視聴および蓄積可能な放送は３種類有る。
【０００７】
第一はユーザー指示による通常の番組放送の視聴および蓄積であり、ＭＰＥＧ２の映像と音声に対応するものである。
【０００８】
第二は番組放送終了後に行われる視聴者共通のデータ放送に対応するもので、蓄積メディアに共通データであるＭＰＥＧ２の映像と音声を自動蓄積する。蓄積後にユーザー指示により視聴される。
【０００９】
第三は番組放送も共通データ放送も放送されていない時間に行われる視聴者個別のデータ放送に対応するもので、ＤＴＶ４２がスタンバイ時に後述するＩＤとパスワードが含まれているＭＰＥＧ１の映像と音声データもしくは写真データを蓄積メディアに蓄積させる。蓄積後にユーザー指示により視聴される。
【００１０】
図３に本考案を適応するＤＴＶ４２のブロック図を示し、説明する。ここでは蓄積メディアとして高速・大容量の特性を持つハードディスクドライブを用いる。
【００１１】
３０はプログラムに従いこのテレビ全体を制御するＣＰＵ、２７はプログラムが納められたプログラムＲＯＭ、２３はＣＰＵ３０と各部を結ぶ共通バスである。１はデジタル放送波を受信するアンテナ、２は受信した放送波の中からＣＰＵ３０の指示に従い所望の周波数を選択するデジタルチューナ、デジタルチューナ２からの信号は、復調＆エラー訂正回路３を通り復調およびエラー訂正を行い、トランスポートストリームとして出力される。
【００１２】
復調＆エラー訂正回路３からのトランスポートストリーム信号は分岐し、ＣＰＵ３０の指示によりハードディスク制御を行うハードディスクドライブ（以下ＨＤＤと略）インタフェース１１を介しＨＤＤ１２に書き込まれる。ＨＤＤ１２には上記３種類の放送データが蓄積可能である。ＨＤＤ１２上に蓄積されたトランスポートストリーム信号は、ＣＰＵ３０の指示によりＨＤＤ制御を行うＨＤＤインタフェース１１を介して読み出される。復調＆エラー訂正回路３もしくはＨＤＤインタフェース１１からのトランスポートストリームはスイッチ１４にて選択されデマルチプレクサ  ４に送られる。そこで多重化されたストリームからＣＰＵ３０の指定するＰＩＤ（Ｐａｃｋｅｔ  ＩＤｅｎｔｉｆｉｅｒ）を持つストリームを選択し、ＭＰＥＧ２映像ストリームは映像デコーダ５に送られ、ＭＰＥＧ２およびＭＰＥＧ１音声ストリームは音声デコーダ１８に送られる。ストリーム以外のＥＰＧ等のＳＩ（Ｓｙｓｔｅｍ  Ｉｎｆｏｒｍａｔｉｏｎ）情報および個別データ放送の映像データは共通バス２３を介してＣＰＵ３０に送られる。番組および共通データ放送のＭＰＥＧ２映像ストリームは映像デコーダ５で非圧縮の映像データにデコードされ、デジタルの放送映像が得られる。
【００１３】
一方３１はＣＰＵ３０の指示により受信チャネル、ＨＤＤの動作状態等の各種表示情報を発生するＯＳＤ（Ｏｎ  Ｓｃｒｅｅｎ  Ｄｉｓｐｌａｙ）である。ＯＳＤ３１は番組放送の録画予約に用いるＥＰＧ表示データをＣＰＵ３０の指示で作ることもできる。更に写真データはＣＰＵ３０で展開された後ＯＳＤ３１に送られる。映像デコーダ５およびＯＳＤ  ３１からの表示情報は合成器７で一つの映像に合成され、８のＤＡＣ（Ｄｉｇｉｔａｌ  Ａｎａｌｏｇ  Ｃｏｎｖｅｒｔｅｒ）によりアナログ信号に変換され、ＣＲＴ等の表示器１０に送られ合成表示される。
【００１４】
音声部の説明をする。音声デコーダ１８からの音声は２０のＤＡＣでアナログ信号に変換され、アンプ２１で増幅され，これを音に変えるスピーカー２２で処理される。
【００１５】
共通バス２３にはＣＰＵ３０、ＯＳＤ３１の他に以下のものが接続される。ユーザーの意志をこのテレビに伝えるリモコン２４の赤外線コードを受光しＣＰＵ３０に伝えるリモコンインタフェース２５、ＣＰＵ３０のワークメモリであるＲＡＭ２６、プログラムを蓄えているプログラムＲＯＭ２７、リモコン２４を用いて電源を切る時に受信していたチャネルを蓄えておく機能を持つ不揮発性メモリ２８である。不揮発性メモリ２８にはメーカー出荷時に書き込まれるこのテレビ固有のＩＤ番号とユーザーが設定できるパスワードと自分のメールアドレスが記憶される。更にモデム３２は公衆回線３３に接続されＣＰＵ３０の指示により電子メールの送受信を行う。このモデム３２は電子メールの送受信を行う機能なので低速モデムで充分である。
【００１６】
ＣＰＵ３０に接続されたＬＥＤ３４はＣＰＵ３０の指示で点灯や消灯が可能であり、ここでは個別データ放送がＨＤＤ１２に蓄積されたら点灯し、読み出されたら消灯するとする。
【００１７】
ユーザーにより電源スイッチ（図示せず）が切られたときにＤＴＶ４２はスタンバイ状態になる。この状態では映像デコーダ５から表示器１０までの映像表示系と音声デコーダ１８からスピーカ２２までに電源は供給されず動作していないが、他の部分は動作している。そのためＣＰＵ３０はデマルチプレクサ４からのＳＩ情報を常に監視する事が可能なので共通データ放送または個別データ放送が行われるとそのことを判別することが出来る。
【００１８】
番組放送のＨＤＤ１２への蓄積はＥＰＧ等を使ったユーザー指示により行われ、蓄積した番組の視聴はユーザー指示によりデマルチプレクサ４へＨＤＤインタフェース１１からのトランスポートストリームを転送して後段でデコードすることで行われる。
【００１９】
共通データ放送のＨＤＤ１２への蓄積はＤＴＶ４２のスタンバイ時に共通データ放送が行われるとＣＰＵ３０はＳＩ情報を検知しＨＤＤインタフェース１１に共通データを蓄積するように指令を出しＨＤＤ１２に自動的に蓄積するものである。蓄積したデータの視聴はユーザー指示によりＨＤＤインタフェース１１からのトランスポートストリームデータをデマルチプレクサ４へ転送してデコードすることで行われる。
【００２０】
写真データのフォーマットはデジタルカメラで広く使われている圧縮方式の一つであるＪＰＥＧフォーマットを使うこととする。
【００２１】
図１の概念図と図２のフローチャートを用いて個別データ放送の受信と再生の動作を説明する。受け側ＢのＤＴＶ４２はＨＤＤ搭載のデータ蓄積型対応で、固有のＩＤがあらかじめ割り振られており、ユーザーがパスワードとメールアドレスを設定しておく（Ｓ５１）。受け側ＢのＤＴＶ４２のＩＤとパスワードはデータ放送局Ｃ４３の管理サーバー４３１にあらかじめ登録しておく（Ｓ５２）。更に受け側Ｂに映像データを送ろうとする送り手Ａ４１は受け側ＢのＤＴＶ４２のＩＤとパスワードを知っている（Ｓ５３）。受け側ＢのＤＴＶ４２のＩＤとパスワードを知っているものだけが映像データを送れるようにしないと、見たくないデータまで送られてきて受け手が迷惑するためである。
【００２２】
送り手Ａ４１においてビデオカメラ４１２は録画再生可能な市販品であり、デジタルカメラ４１３はデジタル写真データを撮影記録できる。パソコン４１１はビデオカメラ４１２、デジタルカメラ４１３に接続されこれらの機器から記録データを転送できる。更にパソコン４１１は高速公衆回線に接続されている。送り手Ａ４１はビデオカメラ４１２で撮影したビデオデータをパソコン４１１に転送した後、ＤＴＶ４２が伸張可能な別フォーマットであるＭＰＥＧ１に圧縮する（Ｓ５４）。ＭＰＥＧ１は変換する際にパソコンの負荷が比較的少ない特徴がある。圧縮するソフトはこのサービスを行うデータ放送局Ｃ４３が配布しても良いし、市販ソフトを用いても良い。例えばデジタルビデオで広く普及しているＤＶフォーマットのビデオデータを、解像度横３２０ピクセル、縦２４０ピクセルのＭＰＥＧ１に圧縮するとデータ量は約１０分の１になる。デジタルカメラ４１３からの圧縮されたＪＰＥＧフォーマットのデジタル写真データもパソコン４１１に取り込む。
【００２３】
送り手Ａ４１はデータ放送局Ｃ４３が用意した専用ソフトを用いパソコン４１１から高速公衆回線を用いて転送したい圧縮ビデオデータまたはデジタル写真データを、受け手ＢのＤＴＶ４２のＩＤおよびパスワードと自分のメールアドレスと共に、放送局Ｃ４３の映像サーバー４３２にアップデートする（Ｓ５６）。更に受け手Ｂの複数人指定もできるが、その際は受け手のＩＤとパスワードを複数人分指定するだけですみ、圧縮ビデオデータまたはデジタル写真データを複数回アップデートする必要はない。この際送り手Ａ４１とデータ放送局Ｃ４３の間はＡＤＳＬ回線等の高速回線でつながっているので比較的短時間にデータの転送が可能となる。データ放送局Ｃ４３は送られてきたデータ中のＩＤとパスワードが、登録済みの受け側ＢのＩＤとパスワードと一致するか判断する（Ｓ５７）。不一致ならＳ７６に進みデータ放送局Ｃ４３は送り手Ａ４１に不一致者のリストを電子メールし、確認を求める。一致すればＳ５８に進みデータ放送局Ｃ４３は送り手Ａに管理代および放送代として送り手Ａに課金して（Ｓ５８）、受け手Ｂに代金の支払いの必要はない。データ放送局Ｃ４３は受け取った圧縮ビデオデータまたは写真とＩＤおよびパスワードと送り手Ａのメールアドレス情報にデータ放送局Ｃのメールアドレスを付加して、通常の放送が終了後などに衛星４４を介して個別データとして放送する（Ｓ５９）。このデータ構造を図４に示す。つまりデータ放送局Ｃのメールアドレス、送り手Ａのメールアドレス、受け手ＢのＩＤとパスワード、ビデオデータまたは写真データから構成される。放送の際、データ放送局Ｃ４３は受け手ＢのＤＴＶ４２が受信可能トランスポートストリームの形式に変換して放送する。
【００２４】
受け手ＢのＤＴＶ４２は受信したデータ放送波の中から自分のＩＤおよびパスワードと一致するデータがあったか判断し（Ｓ６１）、不一致なら何もせず、一致した個別データのみ受け取りＨＤＤ１２に蓄えておく（Ｓ６２）。受け手ＢのＤＴＶ４２のＣＰＵ３０は受信した個別データの中からデータ放送局Ｃのメールアドレスを識別する。そして個別データの蓄積が完了したと判断したら「蓄積完了した」という趣旨の電子メールを、データ放送局Ｃのメールアドレスに対しモデム３２を介して発信する（Ｓ６３）。データ放送局Ｃ４３は放送して一定時間待ち「蓄積完了した」メールが来たか判断し（Ｓ６４）、来たらＳ６６に進み、来なかったらＳ７７に進み一定時間たち（Ｓ７７）受け手ＢのＤＴＶ４２がスタンバイ状況になるのを期待して蓄積完了まで放送する。
【００２５】
Ｓ６６では受け手Ｂは個別データが蓄積したことを示すＬＥＤ３４の点灯により自分のＤＴＶ４２に個別データが蓄積されたことを知る（Ｓ６６）。受け手Ｂは個別データを再生しようとして番組放送に使われていないあらかじめ決められている特定の空きチャネルに合わせると蓄積された個別データがＨＤＤ１２からＨＤＤインタフェース１１、スイッチ１４を介してデマルチプレクサ４に転送される（Ｓ６７）。例えばこの特定チャネルはＢＳデジタル放送で割り当てていない８９９チャネルとする。ＣＰＵ３０がこの蓄積データを圧縮ビデオデータと判断すると（Ｓ６８）、伸張再生ソフトが実行されＭＰＥＧ１圧縮映像データはＣＰＵ３０で展開され、更にＯＳＤ３１に送られ表示される。ＭＰＥＧ１圧縮音声データは音声デコーダ１８でデコードされスピーカ２２から音が出る（Ｓ６９）。同様に蓄積データが写真と判断されると写真再生ソフトが実行されＣＰＵ３０で展開され、更にＯＳＤ３１に送られ表示される（Ｓ７１）。受け手ＢのＤＴＶ４２は受信した個別データの中から送り手Ａのメールアドレスを識別する。そして個別データを見たという「視聴確認」電子メールを送り手Ａ４１のメールアドレスに発信する（Ｓ７２）。このメールにより送り手Ａ４１はビデオデータまたは写真データが視聴されたことを確認できる（Ｓ７３）。
【００２６】
上記例ではデジタル写真のフォーマットとしてＪＰＥＧフォーマットを用いたが、画質の向上をねらうなら圧縮していないＴＩＦＦフォーマット等を用いることも可能である。
【００２７】
本例では衛星を使ったデジタル放送の例を示したが、物理手段は何でも良く地上デジタル放送でも同じ効果が得られる。
【００２８】
（実施例２）
送り手Ａ４１がビデオデータをパソコン４１２で別フォーマットに変換する際、更に圧縮率の高いＭＰＥＧ２方式に変換する手段がある。ＭＰＥＧ２ではＭＰＥＧ１と同程度のビットレートでも解像度が横７２０ピクセル、縦４８０ピクセルと、ＭＰＥＧ１より解像度が上がり現行のＮＴＳＣ並の画質が得られる。ＭＰＥＧ２なら受け手側のＤＴＶ４２で処理する際、共通データ放送と同じ処理シーケンスでデコード可能である。つまりデマルチプレクサ４で映像と音声に分離される際、映像ストリームはＭＰＥＧ２なので映像デコーダ５にてデコードされる。これにより実施例１と異なりフォーマットにより処理シーケンスを替える手間が省ける。ただしＭＰＥＧ２への変換はかなりの計算量を有するので高性能のパソコンが必要となる。
【００２９】
いずれにせよ送り手Ａがデータ放送局Ｃ４３に送るデータと、受け手のＤＴＶ４２で処理するデータのフォーマットは同一のものである必要がある。
【００３０】
【発明の効果】
以上説明した動作により受け側はテレビのチャネルを特定のチャネルに切り変えるだけで簡単かつ無料で自動蓄積されたビデオメールまたは写真が視聴できる利点がある。例えば地方に住む祖母が自宅のテレビで特定チャネルに合わせるだけの、通常のテレビ放送受信と同じ操作で孫の映像が視聴できる。
【００３１】
ビデオまたは写真を送りたい送付側も手持ちのパソコン、ビデオカメラまたはデジタルカメラ、高速ネットワーク等の利用で済み、特別な機材は不要である利点がある。
【００３２】
ここでビデオメールを送付する方法として従来のアナログモデム回線で送る方法と本考案とを、時間と費用の面で比較してみる。
【００３３】
例えば１０分間のビデオメールを送る場合、ＭＰＥＧ１で２．６Ｍｂｐｓのビットレートとすると
２．６Ｍｂｐｓｘ６００ｓｅｃ＝１５６０Ｍｂｉｔｓ
の容量となる。
【００３４】
時間比較
一般に普及しているＶ．９０規格のアナログ回線で送ると、５６Ｋｂｐｓのうち実質８割のスピードで送れるとして
１５６０Ｍｂｉｔｓ／５６ｋｂｐｓ／０．８＝３４８２１ｓｅｃ≒５８０ｍｉｎ≒１０ｈｏｕｒ
と約１０時間かかることになる。
【００３５】
ＡＤＳＬを用いると約１Ｍｂｐｓの上り速度なので
１５６０Ｍｂｉｔｓ／１Ｍｂｐ＝１５６０ｓｅｃ＝２６ｍｉｎ
と、受け手Ａからデータ放送局Ｂまでは２６分かかる。
放送では約２６Ｍｂｐｓの帯域とすると
１５６０Ｍｂｉｔｓ／２６Ｍｂｐｓ＝６０ｓｅｃ
と１分で送れる。
【００３６】
つまり上記ビデオメールを従来のアナログモデムでは１０時間かかり実用的でないが、ＡＤＳＬモデムと放送を組み合わせると２６分プラス１分の計２７分ですみ、短時間で遠隔地に伝送することが可能となる利点がある。
【００３７】
２）費用比較
２００１年５月時点において代表的な電話会社であるＮＴＴコミュニケーションの料金表によると、１００ｋｍを超える県外の料金は深夜帯でも３分当たり４０円なのでアナログモデムでは
５８０ｍｉｎｘ４０円／３ｍｉｎ≒７７００円
となる。
【００３８】
一方ＡＤＳＬモデムと放送を組み合わせた場合、ＡＤＳＬ回線は定額制が多いので新たに発生する通信料はない。つまり７７００円以下でデータ放送局が放送してくれれば通信料はお得となる。
【００３９】
更に送り先が複数の場合、従来のアナログモデム方式では１件当たり上記の時間とコストがかかることになる。しかし本考案を用い送り先のＩＤおよびパスワードを複数指定すれば映像データは１回の放送ですむという利点がある。
【００４０】
つまり距離が遠く受け手の数が多いほど、放送を使って配信するというこのシステムの特徴が生かせることになる。
【００４１】
放送局側としても放送の空き時間を利用して個別データを放送するので設備の有効利用となる。
【図面の簡単な説明】
【図１】本考案の概念図。
【図２】本考案のフローチャート。
【図３】本考案に用いるデータ蓄積型テレビの構成図。
【図４】本考案の個別データの構成図。
【符号の説明】
４  デマルチプレクサ、
５  映像デコーダ、
１１  ＨＤＤインタフェース、
１２  ＨＤＤ、
３０  ＣＰＵ、
３１  ＯＳＤ、
３２  モデム
４１  送り手Ａ
４１１  送り手Ａのパソコン
４２  受け側ＢのＤＴＶ
４３  データ放送局
４４  衛星
【図１】
2004336412.tif 000003
【図２】
2004336412.tif 000004
【図３】
2004336412.tif 000005
【図４】
2004336412.tif 000006